(57)【要約】      （修正有）【課題】所望の飛距離を得ることができ、かつ、浮体の損傷防止も図ることができ、しかも、簡略構造で安価に構成することができる遠投カゴ釣り用の釣り具における浮体・餌カゴ構造を提供する。【解決手段】釣り具を構成する球状の浮体８と、円筒状で、一端側に頂部に抜き穴を設けた中空円錐部２１を有する餌カゴ９とをガイド糸７の中通し形態とした釣り具における浮体・餌カゴ構造であって、浮体の一方の端部側により戻し具６を設け、浮体の他方の端部と、餌カゴにおける中空円錐部２０との間を短長の円筒体２２を介在させるとともに、浮体内に中通ししたガイド糸を円筒体内を経て餌カゴにおける中空円錐部の抜き穴２１内に挿通させ、この中空円錐部の内部に抜き穴より大径でこの抜き穴より抜け出ない穴付きビーズ２３を配置し、穴付きビーズに挿通したガイド糸に結び目２４を設けてなる浮体移動防止部５を備える端部隣接連結構造としたものである。【選択図】図２
0003210015.tif 000002
【実用新案登録請求の範囲】
【請求項１】
釣り具を構成する浮体、餌カゴをガイド糸中通し形態とするとともに、前記浮体の端部、前記餌カゴの端部を、端部隣接連結構造としたことを特徴とする釣り具における浮体・餌カゴ構造。
【請求項２】
釣り具を構成する球状の浮体、筒状の餌カゴをガイド糸中通し形態とするとともに、前記浮体の一方の端部と、前記餌カゴにおける前記浮体の端部と隣り合う端部とを、端部隣接連結構造としたことを特徴とする釣り具における浮体・餌カゴ構造。
【請求項３】
釣り具を構成する球状の浮体と、円筒状で、一端側に頂部に抜き穴を設けた中空円錐部を有する餌カゴとをガイド糸中通し形態とした釣り具における浮体・餌カゴ構造であって、
前記浮体の一方の端部側により戻し具を設け、前記浮体の他方の端部と、前記餌カゴにおける中空円錐部との間を短長の円筒体を介在させるとともに、前記より戻し具の他端側に括り付けられ、前記浮体内に中通ししたガイド糸を前記円筒体内を経て餌カゴにおける中空円錐部の抜き穴内に挿通させ、この中空円錐部の内部に前記抜き穴より大径でこの抜き穴より抜け出ない穴付きビーズを配置し、穴付きビーズに挿通したガイド糸に結び目を設けてなる浮体移動防止部を備える端部隣接連結構造としたことを特徴とする釣り具における浮体・餌カゴ構造。
【考案の詳細な説明】
【技術分野】
【０００１】
本考案は、釣り具における浮体・餌カゴ構造に関し、詳しくは、遠投に際し所望の飛距離を得ることができ、かつ、浮体の損傷防止を図ることができ、磯釣り等に使用される遠投カゴ釣り用の釣り具に適用して好適な釣り具における浮体・餌カゴ構造に関するものである。
【背景技術】
【０００２】
まず、図５を参照して磯釣り等に使用される遠投カゴ釣り用の従来の釣り具の一例としての釣り具５１について概説する。
【０００３】
この釣り具５１は、釣竿２と、この釣竿２に取り付けたリール３と、このリール３に巻回され繰り出される道糸（釣糸）４の先端に配置したより戻し具６と、より戻し具６に括り付けたガイド糸７と、ガイド糸７を中通し形態とした浮体８、コマセカゴ（餌カゴ）９Ａと、コマセカゴ９の他端側により戻し具１０を介して連結したハリス１１、釣針１２及び錘１３からなる仕掛け部１４と、を有している。
【０００４】
前記釣り具５１においては、浮体８はコマセカゴ９Ａと一体的でない誘導式としており、このため浮体８はガイド糸７によりガイドされつつ図中の矢印ａ〜ｂの範囲を自由移動可能となっている。
【０００５】
しかし、このような釣り具５１を遠投カゴ釣り用として実際に使用する場合、浮体８とコマセカゴ９Ａとは一体的ではないため、図６に概略的に示すように、図中の矢印ａ〜ｂの範囲を自由移動可能となっていることから、遠投時においてはこれらが分離しつつ飛翔し空中で個別に空気抵抗を受けることになり、両者併せての空中での空気抵抗が大となって期待通りの飛距離がでない、すなわち、飛距離低下を招くという釣果に影響する問題を包含している。
【０００６】
また、浮体８、コマセカゴ９Ａの着水時においては、これらに水抵抗が個別に作用し、特に浮体８が破損する虞が大となるという問題を包含している。
【０００７】
特許文献１には、筒型コマセ器と浮き部の合体と、筒型コマセ器の主海水流入口部に備え付けられた網目底蓋とコマセ器本体側面の窪みに斜めに開けられた補助海水流入口とコマセ吹き出し口につけられた水流変更器との組み合わせと、筒型コマセ器側面に加工された窪みとレール型又はすじ状の溝と、固定型糸通し金具と遊動部のリングと浮き部先端角に付けられたフックの組み合わせによるコマセ器付き浮きが開示されている。
【０００８】
しかし、特許文献１のコマセ器付き浮きの場合、筒型コマセ器と浮き部とを合体しているものの筒型コマセ器に補助海水流入口や水流変更器を設けたり、浮き部先端角にフックを付けたりした複雑、高価格のものである。
【先行技術文献】
【特許文献】
【０００９】
【特許文献１】特開平９−１２１７３７号公報
【考案の概要】
【考案が解決しようとする課題】
【００１０】
本考案は、上記従来の事情に鑑みてなされたものであり、遠投カゴ釣り用として実際に使用する場合、所望の飛距離を得ることができ、かつ、浮体の損傷防止を図ることができ、しかも、簡略構造で安価に構成することができる釣り具における浮体・餌カゴ構造を提供するものである。
【課題を解決するための手段】
【００１１】
本考案に係る釣り具における浮体・餌カゴ構造は、釣り具を構成する球状の浮体、筒状の餌カゴをガイド糸中通し形態とするとともに、前記浮体の一方の端部と、前記餌カゴにおける前記浮体の端部と隣り合う端部とを、短長の円筒体を介在配置とした端部隣接連結構造としたことを最も主要な特徴とする。
【考案の効果】
【００１２】
請求項１乃至３記載の考案によれば、浮体と餌カゴとを簡略、安価な構造により端部隣接連結しているので、遠投の場合これらが一体的となって空中を飛翔することになり、浮体、餌カゴが個別に空気抵抗を受ける従来例に比べ空中での空気抵抗が小となり期待通りの飛距離が得られるとともに、浮体、餌カゴの着水時においては、浮体と餌を収容した餌カゴとが一体的となって着水するので、餌カゴより軽量な浮体に対する着水抵抗は少なくなりその損傷防止を図ることができるという斬新な効果を奏する釣り具における浮体・餌カゴ構造を実現し提供することができる。
【図面の簡単な説明】
【００１３】
【図１】図１は本考案の実施例に係る浮体・餌カゴ構造を含む釣り具の全体概略構成図である。
【図２】図２は本実施例に係る浮体・餌カゴ構造の概略構成説明図である。
【図３】図３は本実施例に係る浮体・餌カゴ構造における餌カゴの概略分解斜視図である。
【図４】図４は本実施例に係る浮体・餌カゴ構造における浮体・餌カゴの飛翔状態を示す説明図である。
【図５】図５は従来の浮体・餌カゴ構造を含む釣り具の全体概略構成図である。
【図６】図６は従来の浮体・餌カゴ構造における浮体・餌カゴの飛翔状態を示す説明図である。
【考案を実施するための形態】
【００１４】
本考案は、遠投カゴ釣り用として実際に遠投使用する場合所望の飛距離を得ることができ、かつ、浮体の損傷防止も図ることができ、しかも、簡略構造で安価に構成することができる釣り具における浮体・餌カゴ構造を提供するという目的を、釣り具を構成する球状の浮体と、円筒状で、一端側に頂部に抜き穴を設けた中空円錐部を有する餌カゴとをガイド糸中通し形態とした釣り具における浮体・餌カゴ構造であって、前記浮体の一方の端部側により戻し具を設け、前記浮体の他方の端部と、前記餌カゴにおける中空円錐部との間を短長の円筒体を介在させるとともに、前記より戻し具の他端側に括り付けられ、前記浮体内に中通ししたガイド糸を前記円筒体内を経て餌カゴにおける中空円錐部の抜き穴内に挿通させ、この中空円錐部の内部に前記抜き穴より大径でこの抜き穴より抜け出ない穴付きビーズを配置し、穴付きビーズに挿通したガイド糸に結び目を設けてなる浮体移動防止部を備える端部隣接連結構造とした構成により実現した。
【実施例】
【００１５】
以下、図面を参照して、本考案に係る釣り具における浮体・餌カゴ構造の実施例について説明する。
【００１６】
なお、本考案の実施例に係る釣り具１において、図５に示す釣り具５１の場合と同一の要素には同一の符号を付して示す。
【００１７】
本実施例の釣り具１は、磯釣り等に好適な遠投カゴ釣り用に構成したものであり、特に、釣り具１を構成する浮体（水中浮体）、コマセカゴ（餌カゴ）をガイド糸中通し形態とするとともに、前記浮体の他端部、前記コマセカゴの一端部を端部隣接連結した浮体・コマセカゴ構造を主要な特徴とするものである。
【００１８】
本実施例の釣り具１は、図１に示すように、釣竿２と、この釣竿２に取り付けたリール３と、このリール３に巻回され繰り出される道糸（釣糸）４の先端に配置したより戻し具６と、このより戻し具６に括り付けたガイド糸７と、ガイド糸７を中通し形態とした浮体８、コマセカゴ（餌カゴ）９と、コマセカゴ９の他端側により戻し具１０を介して連結したハリス１１、釣針１２及び錘１３からなる仕掛け部１４と、を有している。
【００１９】
更に詳述すると、前記リール３に巻回され繰り出される道糸４の先端は公知のより戻し具６の一端側に括り付けられ、より戻し具６の他端側に括り付けたガイド糸７を浮体８、コマセカゴ９に中通してコマセカゴ９の他端側に導出し、ここでより戻し具１０の一端側に括り付けている。
【００２０】
そして、より戻し具１０の他端側に仕掛け部１４のハリス１１の一端側を括り付け、ハリス１１の他端側（先端側）に錘１３を取り付けるとともに、前記ハリス１１の途中位置に所要数の釣針１２を分離配置した構成としている。
【００２１】
前記浮体８としては、発泡スチロール製のものやプラスチック製のものを採用することができる。
【００２２】
また、前記コマセカゴ９としては、塩化ビニール等のプラスチック製のものや錆びにくいステンレス製のものを採用することができる。
【００２３】
次に、本実施例の浮体・コマセカゴ構造について図２、図３を参照して詳述する。
【００２４】
前記コマセカゴ９は、例えば内外二重円筒嵌合構造で、各々コマセ放出穴１７を形成した外円筒部１５と内円筒部１６とを相対的に円周方向に摺動可能に密接嵌合した構成としている。
【００２５】
すなわち、外円筒部１５の側壁部には複数の円形穴１５ａ、複数の楕円穴１５ｂを分散配置に形成し、また、内円筒部１６の側壁部にも複数の円形穴１６ａ、複数の楕円穴１６ｂを分散配置に形成している。
【００２６】
そして、外円筒部１５と内円筒部１６との円周方向の嵌合位置をずらすことで外円筒部１５の円形穴１５ａと、内円筒部１６の円形穴１６ａとの位置ずらし、更には、外円筒部１５の楕円穴１５ｂと、内円筒部１６の楕円穴１６ｂとの位置ずらしによって、これらのコマセ放出穴１７により画されるコマセ放出領域１８を調節可能としたり、また、外円筒部１５の側壁部における非穴部領域で内円筒部１６のコマセ放出穴１７を完全に閉塞し、コマセカゴ９内に収容したコマセ１９のコマセカゴ９外部への放出を不能としたりできるように構成している。
【００２７】
前記外円筒部１５の一端側（浮体８側）には、略中空円錐形状で抜き穴２１付きの中空円錐部２０が形成され、中空円錐部２０の突出端側を浮体８側に臨ませるように構成している。
【００２８】
また、前記内円筒部１６の他端側（仕掛け部１４側）には例えば半球状の中空膨出部１６ｃが形成されている。
【００２９】
前記浮体８、コマセカゴ９の端部隣接連結構造は、前記浮体８の他端と、前記コマセカゴ９における中空円錐部２０の突出端との間に、スペーサとして機能する短長（例えば５〜１０ｍｍ）の円筒体２２を介在させるとともに、前記より戻し具６の他端側に括り付けられ、前記浮体８内に中通ししたガイド糸を円筒体２２内を経てコマセカゴ９における中空円錐部２０の抜き穴２１内に挿通させ、この中空円錐部２０の内部に前記抜き穴２１より大径でこの抜き穴２１より抜け出ない穴付きビーズ２３を配置している。
【００３０】
そして、前記穴付きビーズ２３に挿通したガイド糸７に結び目２４を設けて、前記より戻し具６の他端側と前記結び目２４との間において前記浮体８の自由移動を防止し、前記浮体８とコマセカゴ９とが円筒体２２を介して隣り合う状態となる簡略で安価に作成できる構造（穴付きビーズ２３の配置とガイド糸７の結び目２４の形成）の浮体移動防止部５を設けている。
本考案においては、前記浮体８、コマセカゴ９の端部隣接連結構造を、浮体８の他端とコマセカゴ９における内円筒部１６の端部（コマセカゴ９における中空円錐部２０の突出端とは逆の端部）とを相互に向き合わせて固定し、浮体８の自由移動を防止するように構成しても良い。
【００３１】
更に、前記結び目２４より先のガイド糸７をコマセカゴ９内に中通しして半球状の中空膨出部１６ｃの最頂部（他端側中央部）に設けた抜き穴１６ｄを経てコマセカゴ９の他端外部に導出し、ここで前記より戻し具１０の一端側に括り付けている。
【００３２】
前記浮体移動防止部５としては、前記コマセカゴ９における中空円錐部２０の内部において、ガイド糸７を複数回巻き込み膨らんだ糸玉状として、この糸玉状の部分が前記中空円錐部２０の抜き穴２１から抜け出ないようにする構成としてもよい。
【００３３】
また、図示しないが、前記浮体８、コマセカゴ９の隣り合う端部に各々雄ネジ筒、雌ネジ筒を設け、ネジ結合でこれらを一体的に連結したり、前記浮体８、コマセカゴ９の隣り合う端部に各々筒状雄ピン、筒状雌ピンを設け、これらのピン結合により前記浮体８、コマセカゴ９を一体的に連結する構成とすることも可能で、特に限定するものではない。
【００３４】
上述したような前記浮体８、コマセカゴ９の簡略で安価に作成できる端部隣接連結構造によれば、前記浮体８の他端と、コマセカゴ９の一端との間に短長の円筒体２２が介在する構造の基に、前記浮体８と、コマセカゴ９とを相互に離隔しない一体的な形態としつつ磯釣り等に好適な遠投カゴ釣り用として使用することが可能となる。
【００３５】
すなわち、本実施例によれば、前記浮体８とコマセカゴ９とを簡略な構造で端部隣接連結しているので、図４に示すように、遠投の場合、これらが一体的となって空中を飛翔することになり、浮体８、コマセカゴ９Ａが個別に空気抵抗を受ける従来例に比べ空中での空気抵抗が小となり期待通りの飛距離が得られるという効果を奏するものである。
【００３６】
また、前記浮体８、コマセカゴ９の着水時においては、浮体８とコマセ１９を収容したコマセカゴ９が一体的となって着水するので、より重量のあるコマセカゴ９が先に着水すると想定され、コマセカゴ９より軽量な浮体８に対する着水抵抗は少なくなりその損傷防止を図ることができる。
【００３７】
なお、上述した実施例においては、浮体８として球状のものを使用する場合について説明したが、これに限らず、浮体８としては楕円球状、立方体状等、種々の形状のものを使用することができ、特に限定するものではない。
【００３８】
また、上述した実施例においては、コマセカゴ９として略円筒状のものを使用する場合について説明したが、これに限らず、コマセカゴ９としては楕円球状等、種々の形状のものを使用することができ、特に限定するものではない。なお、コマセカゴ９の構造は本実施例のものに限定されるものでないことは勿論である。
【産業上の利用可能性】
【００３９】
本考案の釣り具における浮体・餌カゴ構造は、磯釣りに使用される遠投カゴ釣り用の釣り具に適用する場合の他、浜釣り用、船釣り用等に使用される遠投カゴ釣り用の釣り具に対しても好適に適用可能である。
【符号の説明】
【００４０】
１    釣り具
２    釣竿
３    リール
４    道糸
５    浮体移動防止部
６    より戻し具
７    ガイド糸
８    浮体
９    コマセカゴ（餌カゴ）
１０    より戻し具
１１    ハリス
１２    釣針
１３    錘
１４    仕掛け部
１５    外円筒部
１５ａ  円形穴
１５ｂ  楕円穴
１６    内円筒部
１６ａ  円形穴
１６ｂ  楕円穴
１６ｃ  中空膨出部
１６ｄ  抜き穴
１７    コマセ放出穴
１８    コマセ放出領域
１９    コマセ
２０    中空円錐部
２１    抜き穴
２２    円筒体
２３    穴付きビーズ
２４    結び目
【図１】
0003210015.tif 000003
【図２】
0003210015.tif 000004
【図３】
0003210015.tif 000005
【図４】
0003210015.tif 000006
【図５】
0003210015.tif 000007
【図６】
0003210015.tif 000008